(57)【要約】【課題】定着具筋を所定の位置に簡単に固定することができる定着具筋の固定用具を提供する。【解決手段】ＰＣ鋼材１６を使用したポストテンション方式のプレストレストコンクリート構造物におけるＰＣ鋼材１６を緊張してコンクリート部材１０に定着するＰＣ定着部１４近傍を補強するための定着具筋３２を、ＰＣ鋼材１６の端部を定着する筒状のガイド１８の外周側の位置に固定するようにした定着具筋の固定用具１００であって、ガイド１８の外周面に固定される固定部４０と、固定部４０から外方に張り出した少なくとも２本の張出部４２と、張出部４２の各々に設けられ、定着具筋３２とガイド１８とを同軸上に位置決め保持するように定着具筋３２が嵌め込まれる溝部４４とを備えるようにする。【選択図】図１
2014218828.tif 000002
【特許請求の範囲】
【請求項１】
ＰＣ鋼材を使用したポストテンション方式のプレストレストコンクリート構造物における前記ＰＣ鋼材を緊張してコンクリート部材に定着するＰＣ定着部近傍を補強するための定着具筋を、前記ＰＣ鋼材の端部を定着する筒状のガイドの外周側の位置に固定するようにした前記定着具筋の固定用具であって、
前記ガイドの外周面に固定される固定部と、前記固定部から外方に張り出した少なくとも２本の張出部と、前記張出部の各々に設けられ、前記定着具筋と前記ガイドとを同軸上に位置決め保持するように前記定着具筋が嵌め込まれる溝部とを備えることを特徴とする定着具筋の固定用具。
【請求項２】
前記固定部はリング状部材からなり、前記張出部は前記リング状部材の軸心について点対称の位置から各々外方に張り出し、前記溝部は前記張出部の先端に設けられることを特徴とする請求項１に記載の定着具筋の固定用具。
【請求項３】
前記定着具筋が、前記ガイドの軸方向に伸びるスパイラル筋からなることを特徴とする請求項１または２に記載の定着具筋の固定用具。
【発明の詳細な説明】
【技術分野】
【０００１】
本発明は、例えば、コンクリート構造物をプレストレストコンクリート構造あるいはプレストレスト鉄筋コンクリート構造にする場合や、コンクリートブロックを緊結する場合に用いられるＰＣ鋼材（ＰＣテンドン）の定着部において、この部分に生じる割裂応力に対応するための補強筋として配設されるスパイラル筋などの定着具筋を固定するのに好適な固定用具に関するものである。
【背景技術】
【０００２】
従来、コンクリート構造物をプレストレストコンクリート構造あるいはプレストレスト鉄筋コンクリート構造にする場合や、コンクリートブロック同士を緊結する場合には、ＰＣ鋼材を緊張し、ＰＣ鋼材端部をコンクリートに定着してこのＰＣ鋼材の復元力によりコンクリートにプレストレスを与えている。このようにしてコンクリートにプレストレスを導入する場合、ＰＣ鋼材を緊張して定着するＰＣ定着部付近のコンクリートには、大きな圧縮応力と、この圧縮応力と直交する方向に割裂応力が発生する。このため、このＰＣ定着部には、圧縮応力をコンクリートに均等に配分するためのＰＣ鋼材に対して直角に定着板を配設するとともに、ＰＣ定着部付近のコンクリート内には、割裂応力に対応するためのスパイラル筋やグリッド筋などの定着具筋（補強筋）を配設して、ＰＣ定着部およびその近傍における割裂の発生を防止している（例えば、特許文献１を参照）。
【０００３】
この定着具筋を取り付ける位置は、通常、割裂応力の分布が最大となる定着板の位置から所定距離離れた位置となるが、その機能上、定着具筋は定着板に対して平行でＰＣ鋼材を中心に点対称に配置しなければならない。このため、従来はこの定着具筋を定位置に固定するために、鉄筋被りを確保して型枠内に配置した組立加工鉄筋に補助鉄筋を追加し、定着具筋をこの補助鉄筋に取り付けることで固定していた。例えば、定着具筋としてスパイラル筋を設置する場合には、図５に示すように、ＰＣ鋼材１が挿通されるガイド２に設けた図示しない吊り金具装着用の穴に、スパイラル筋３の加工した前端３ａを差し込み、スパイラル筋３の後端３ｂ側を組立加工鉄筋４の所定の位置に結束あるいは溶接した補助鉄筋５に取り付けることで、その位置を固定していた。
【先行技術文献】
【特許文献】
【０００４】
【特許文献１】特開２００２−９７７４５号公報
【発明の概要】
【発明が解決しようとする課題】
【０００５】
ところで、上記の従来のスパイラル筋の取り付け方法では、補助鉄筋を組立加工鉄筋に追加する必要がある。組立加工鉄筋は、比較的短い間隔で配筋してあるので、スパイラル筋を考慮して補助鉄筋の長さと位置とを決定しなければならず、作業が複雑であった。また、スパイラル筋は、その機能上、定着板に対して平行またはＰＣ鋼材を中心に点対称に取り付ける必要があるが、補助鉄筋が組立加工鉄筋に取り付けてあるため、コンクリートの打設中の振動・締め固め作業やコンクリート圧によって組立加工鉄筋および補助鉄筋が横方向や縦方向に位置ずれするおそれがあった。ＰＣ鋼材や定着板を所定位置に強固に取り付けても、ＰＣ鋼材および定着板に対するスパイラル筋の取付位置がずれると、割裂応力に対してコンクリートを十分に補強し得るものとはならない。このため、スパイラル筋のような定着具筋を所定の位置に簡単に固定することができる技術が望まれていた。
【０００６】
本発明は、上記に鑑みてなされたものであって、定着具筋を所定の位置に簡単に固定することができる定着具筋の固定用具を提供することを目的とする。
【課題を解決するための手段】
【０００７】
上記した課題を解決し、目的を達成するために、本発明に係る定着具筋の固定用具は、ＰＣ鋼材を使用したポストテンション方式のプレストレストコンクリート構造物における前記ＰＣ鋼材を緊張してコンクリート部材に定着するＰＣ定着部近傍を補強するための定着具筋を、前記ＰＣ鋼材の端部を定着する筒状のガイドの外周側の位置に固定するようにした前記定着具筋の固定用具であって、前記ガイドの外周面に固定される固定部と、前記固定部から外方に張り出した少なくとも２本の張出部と、前記張出部の各々に設けられ、前記定着具筋と前記ガイドとを同軸上に位置決め保持するように前記定着具筋が嵌め込まれる溝部とを備えることを特徴とする。
【０００８】
また、本発明に係る他の定着具筋の固定用具は、上述した発明において、前記固定部はリング状部材からなり、前記張出部は前記リング状部材の軸心について点対称の位置から各々外方に張り出し、前記溝部は前記張出部の先端に設けられることを特徴とする。
【０００９】
また、本発明に係る他の定着具筋の固定用具は、上述した発明において、前記定着具筋が、前記ガイドの軸方向に伸びるスパイラル筋からなることを特徴とする。
【発明の効果】
【００１０】
本発明に係る定着具筋の固定用具によれば、ＰＣ鋼材を使用したポストテンション方式のプレストレストコンクリート構造物における前記ＰＣ鋼材を緊張してコンクリート部材に定着するＰＣ定着部近傍を補強するための定着具筋を、前記ＰＣ鋼材の端部を定着する筒状のガイドの外周側の位置に固定するようにした前記定着具筋の固定用具であって、前記ガイドの外周面に固定される固定部と、前記固定部から外方に張り出した少なくとも２本の張出部と、前記張出部の各々に設けられ、前記定着具筋と前記ガイドとを同軸上に位置決め保持するように前記定着具筋が嵌め込まれる溝部とを備えるので、定着具筋を所定の適正な位置に簡単に固定することができるという効果を奏する。したがって、定着具筋を所定位置に配置する施工手間が省力化されるとともに、精度のよい施工が可能となり、工程短縮、施工品質向上、歩掛向上につながる。
【００１１】
また、本発明に係る他の定着具筋の固定用具によれば、前記固定部はリング状部材からなり、前記張出部は前記リング状部材の軸心について点対称の位置から各々外方に張り出し、前記溝部は前記張出部の先端に設けられるので、上記の効果に加えて、この固定用具をきわめて簡素な構造にて提供することができるという効果を奏する。
【００１２】
また、本発明に係る他の定着具筋の固定用具によれば、前記定着具筋が、前記ガイドの軸方向に伸びるスパイラル筋からなるので、上記の効果に加えて、位置決めが従来難しかったスパイラル筋を所定の適正な位置に簡単に固定することができるという効果を奏する。
【図面の簡単な説明】
【００１３】
【図１】図１は、本発明に係る定着具筋の固定用具の実施例を示す概略断面図である。
【図２】図２は、本発明に係る定着具筋の固定用具の実施例を示す概略断面図である。
【図３】図３は、本発明に係る定着具筋の固定用具の正面図である。
【図４】図４は、本発明に係る定着具筋の固定用具の側面図である。
【図５】図５は、従来の定着具筋の設置方法の一例を示す概略断面図である。
【発明を実施するための形態】
【００１４】
以下に、本発明に係る定着具筋の固定用具の実施の形態を図面に基づいて詳細に説明する。本発明に係る定着具筋の固定用具は、ＰＣ鋼材を使用したポストテンション方式のプレストレストコンクリート構造物におけるＰＣ鋼材を緊張してコンクリート部材に定着するＰＣ定着部近傍を補強するための定着具筋を所定の位置に固定するようにしたものである。なお、以下の実施例によりこの発明が限定されるものではない。
【００１５】
図１は、緊張状態のＰＣ鋼材をＰＣ定着部に定着させた状態のコンクリート部材の部分断面図である。図２は、定着具筋をガイドの外周側に配置する直前の状態の型枠内の部分断面図である。図３は本発明に係る定着具筋の固定用具の正面図、図４は側面図である。
【００１６】
図１および図２に示すように、コンクリート部材１０は、既に所定形状の長尺材に成形された梁などのプレストレスコンクリート製品であり、長さ方向に穿設された中心穴に、予めシース管１２が内設されている。コンクリート部材１０の端部には、取付凹部１０ａが成形され、この取付凹部１０ａ内にＰＣ定着部１４が設けられる。
【００１７】
シース管１２内にはＰＣ鋼材１６が複数本貫挿されており（図の例では３本）、それぞれ複数の素線を編み込んで形成されている。シース管１２は、中空ダクト内に貫挿されるＰＣ鋼材１６とその外部のコンクリートとを液密的にシールし、水分・塩分等に対する耐腐食性を有する材料、例えば非鉄金属により形成されている。
【００１８】
ＰＣ定着部１４は、シース管１２の端部１２ａに外嵌連結するとともに、前方に行くに従いテーパー状に拡径した略筒状のガイド１８と、ガイド１８の拡径側端面１８ａに固定された円盤状の定着ブロック２０とを有する。定着ブロック２０には円錐台形状をなす貫通穴２２が複数設けられており（図の例では３個）、この貫通穴２２にＰＣ鋼材１６が挿通するとともに、楔状のウエッジ２４が嵌合してＰＣ鋼材１６の端部を保持している。
【００１９】
ＰＣ定着部１４は、それに被せて液密的に覆うグラウトキャップ２６を備えている。このグラウトキャップ２６は、透明または半透明の樹脂材料、例えばナイロン樹脂を用いて一体成形することができる。このグラウトキャップ２６は、定着ブロック２０を入れる開口２６ａをあけた胴部側２６ｂを略円錐台状に形成し、その突端部側２６ｃを平板状に一体に連設して全体にハット型に成形してなるものである。開口２６ａの周縁には、環状の固定用鍔部２６ｄを有し、その鍔部２６ｄに複数のボルト穴を間隔をあけて設けている。このグラウトキャップ２６は、グラウトキャップ補強版２８を介してボルト穴に通されたグラウトキャップ取付ボルト３０によりガイド１８に固定される。
【００２０】
本発明に係る定着具筋の固定用具１００は、ガイド１８の縮径側端部１８ｂに設けられており、定着具筋としてのスパイラル筋３２をガイド１８の外周側の位置に固定するようにしたものである。この固定用具１００は、ガイド１８の外周面に固定される固定部４０と、固定部４０から外方に張り出した少なくとも２本の張出部４２と、張出部４２の各々に設けられ、ガイド１８とこのガイド１８の軸方向に伸びる螺旋状のスパイラル筋３２とを同軸上に位置決め保持するようにスパイラル筋３２が嵌め込まれる溝部４４とを備えている。この固定用具１００は、後工程のコンクリートの打設中の振動・締め固め作業やコンクリート圧などによって容易に撓んだり変形しない例えば鋼材などの材質で構成することが好ましい。
【００２１】
図３および図４に示すように、固定部４０はガイド１８と同軸のリング状部材からなり、張出部４２はリング状部材の軸心について点対称の位置から各々外方に張り出し（図の例では上下）、溝部４４は張出部４２の先端に設けられる。上側の張出部４２は上方に行くに従い前方に傾斜し、下側の張出部４２は下方に行くに従い後方に傾斜している。
【００２２】
また、上下２つの溝部４４はスパイラル筋３２が嵌め込まれて案内可能なように半円弧状の溝により形成されている。溝部４４の円弧径はスパイラル筋３２の外径よりも若干大きい寸法としてある。上下の張出部４２の前後傾斜によって、上側の溝部４４は、下側の溝部４４からスパイラル筋３２の半周相当分離れた位置に配置される。このため、スパイラル筋３２を上下の溝部４４に嵌め込んで回転させると、上下の半円弧状の溝部４４によってスパイラル筋３２が強固に支持されることになり、スパイラル筋３２とガイド１８とは同軸上に位置決め保持される。
【００２３】
スパイラル筋３２がガイド１８に対して所定の適正な位置に固定されるので、後工程のコンクリートの打設中の振動・締め固め作業やコンクリート圧などによって従来のようにスパイラル筋３２が縦横に位置ずれするおそれはない。このため、ガイド１８の外周の所定位置に生じるコンクリート部材１０の割裂応力に適切に対抗できるようになり、ＰＣ定着部１４およびその近傍における割裂の発生を効果的に防止することができる。
【００２４】
このように、本発明に係る定着具筋の固定用具１００によれば、スパイラル筋３２を所定の適正な位置に簡単に固定することができるという効果を奏する。したがって、スパイラル筋３２を所定位置に配置する施工手間が省力化されるとともに、精度のよい施工が可能となり、工程短縮、施工品質向上、歩掛向上につながる。また、図３および図４のようなリング状部材（固定部４０）、張出部４２および溝部４４からなる構成とすることで、上記の効果に加えて、この固定用具をきわめて簡素な構造にて提供することができるという効果を奏する。
【００２５】
なお、上記の実施の形態において、固定用具１００は、ガイド１８に対して１個設けた場合について説明したが、これに限るものではなく、例えばガイド１８の軸方向に沿って間隔をあけてその外周面に複数個配置し、それぞれの固定用具１００で定着具筋を位置決め保持するようにしてもよい。
【００２６】
また、上記の実施の形態において、定着具筋がスパイラル筋３２で構成される場合について説明したが、これに限るものではなく、定着具筋がガイド１８の軸方向視で井桁状に組み立てられたグリッド筋で構成される場合にも適用可能であり、上記と同様の効果を奏することができる。この場合、グリッド筋とガイド１８とが同軸上に位置決め保持されるように、張出部４２をリング状部材（固定部４０）の軸心について点対称の位置から各々外方に張り出す構成とし、溝部４４をグリッド筋が嵌め込まれる位置に配置するのが好ましい。
【００２７】
また、上記の実施の形態において、張出部４２をリング状部材（固定部４０）の軸心から放射状に２本配置した場合について説明したが、２本に限らず３本以上放射状に配置してもよい。この場合、張出部４２をリング状部材の周方向に等間隔に配置してもよい。また、張出部４２はリング状部材の軸心について点対称の位置に限らず、溝部４４により定着具筋をしっかりと位置決め保持可能な態様であれば、リング状部材のいかなる位置に配置してもよい。また、溝部４４は張出部４２の先端以外の張り出し途中の位置に配置することもできる。さらに溝部４４を先端と途中の両方に配置して各々で定着具筋を位置決め保持するようにしてもよい。
【００２８】
また、上記の実施の形態において、固定部４０は必ずしもリング状の部材に限るものではなく、例えば円弧の一部が欠けた略Ｃ形状の断面の部材を用いてもよく、ガイド１８の外周面に固定することが可能なものであればいかなる形態のものであってもよい。また、固定部４０は、上記の実施形態で説明したようにガイド１８の縮径側端部１８ｂに軸方向から外嵌可能な態様であってもよいし、あるいは、固定部４０を略Ｃ形状の断面の高剛性の樹脂で構成し、Ｃ形状の開口部を開いてガイド１８の任意の外周面に対して直接装着可能な態様で構成してもよい。いずれにせよ固定部４０は、ガイド１８の外周に装着容易な形態のものを用いるのが施工手間の省力化を図る上で好ましい。
【００２９】
以上説明したように、本発明に係る定着具筋の固定用具によれば、ＰＣ鋼材を使用したポストテンション方式のプレストレストコンクリート構造物における前記ＰＣ鋼材を緊張してコンクリート部材に定着するＰＣ定着部近傍を補強するための定着具筋を、前記ＰＣ鋼材の端部を定着する筒状のガイドの外周側の位置に固定するようにした前記定着具筋の固定用具であって、前記ガイドの外周面に固定される固定部と、前記固定部から外方に張り出した少なくとも２本の張出部と、前記張出部の各々に設けられ、前記定着具筋と前記ガイドとを同軸上に位置決め保持するように前記定着具筋が嵌め込まれる溝部とを備えるので、定着具筋を所定の適正な位置に簡単に固定することができる。したがって、定着具筋を所定位置に配置する施工手間が省力化されるとともに、精度のよい施工が可能となり、工程短縮、施工品質向上、歩掛向上につながる。
【００３０】
また、本発明に係る他の定着具筋の固定用具によれば、前記固定部はリング状部材からなり、前記張出部は前記リング状部材の軸心について点対称の位置から各々外方に張り出し、前記溝部は前記張出部の先端に設けられるので、上記の効果に加えて、この固定用具をきわめて簡素な構造にて提供することができる。
【００３１】
また、本発明に係る他の定着具筋の固定用具によれば、前記定着具筋が、前記ガイドの軸方向に伸びるスパイラル筋からなるので、上記の効果に加えて、位置決めが従来難しかったスパイラル筋を所定の適正な位置に簡単に固定することができる。
【産業上の利用可能性】
【００３２】
以上のように、本発明に係る定着具筋の固定用具は、コンクリート構造物をプレストレストコンクリート構造あるいはプレストレスト鉄筋コンクリート構造にする場合や、コンクリートブロックを緊結する場合に用いられるＰＣ鋼材の定着部において、この部分に生じる割裂応力に対応するための補強筋として配設されるスパイラル筋などの定着具筋を固定するのに有用であり、特に、定着具筋を所定の位置に簡単に固定するのに適している。
【符号の説明】
【００３３】
１０  コンクリート部材
１０ａ  取付凹部
１２  シース管
１２ａ  シース管の端部
１４  ＰＣ定着部
１６  ＰＣ鋼材
１８  ガイド
１８ａ  ガイドの拡径側端面
１８ｂ  ガイドの縮径側端部
２０  定着ブロック
２２  貫通穴
２４  ウエッジ
２６  グラウトキャップ
２６ａ  開口
２６ｂ  胴部側
２６ｃ  突端部側
２６ｄ  固定用鍔部
２８  グラウトキャップ補強版
３０  グラウトキャップ取付ボルト
３２  スパイラル筋（定着具筋）
４０  固定部
４２  張出部
４４  溝部
１００  定着具筋の固定用具
【図１】
2014218828.tif 000003
【図２】
2014218828.tif 000004
【図３】
2014218828.tif 000005
【図４】
2014218828.tif 000006
【図５】
2014218828.tif 000007